(57)【要約】【課題】  被取付部の構造の如何を問わず、共通化した取付金具によって、共通化したスイッチボックスを使用時の利便性を考慮した状態で取付けることができるようにする。【解決手段】  上面２Ｃに停止用ボタン３と停止解除用ボタン４Ａ〜４Ｅを突設したスイッチボックス２を、取付金具１のスイッチボックス取付面１２に取付ける。そして、取付金具１の上端部には、スイッチボックス２の正面２Ｂを作業者に対向させて製造ライン上端部の被取付部７に垂直姿勢で取付ける第１の取付部１０を設けるとともに、取付金具１の下端部には、スイッチボックス２の正面２Ｂを製造ラインの斜め下側に向けて、かつ作業者から離れる方向に傾斜させて製造ライン上端部の被取付部に傾斜姿勢で取付ける第２の取付部１１を設ける。【選択図】  図４
2006031985.tif 000002
【特許請求の範囲】
【請求項１】
製造ラインの運転を停止させるための停止用ボタンと、製造ラインの停止理由を各別に特定して当該製造ラインを再起動させるための複数の停止解除用ボタンとを備えたスイッチボックスを取付ける取付金具において、
前記スイッチボックスの正面を作業者に対向させて当該製造ライン上端部の被取付部に垂直姿勢で取付ける第１の取付部と、前記スイッチボックスの正面を製造ラインの斜め下側に向けて、かつ作業者から離れる方向に傾斜させて当該製造ライン上端部の被取付部に傾斜姿勢で取付ける第２の取付部とが、上下方向の一方側と他方側に振り分けられて設けられていることを特徴とするスイッチボックスの取付金具。
【請求項２】
停止用ボタンと、停止を解除する停止解除用ボタンとを備えたスイッチボックスを取付ける取付板において、
前記スイッチボックスを上向きにして、当該スイッチボックスを被取付部に取付ける第１の取付部と、前記スイッチボックスを斜め上向きにして、当該スイッチボックスを被取付部に取付ける第２の取付部とが、上下方向の一方側と他方側に振り分けられて設けられていることを特徴とするスイッチボックスの取付板。
【請求項３】
請求項２に記載のスイッチボックスの取付板において、
前記スイッチボックスの外部に露出している電源供給および出力信号送信用コードを保持して、当該コードの自然垂下を防止するコード保持部が設けられていることを特徴とするスイッチボックスの取付板。
【発明の詳細な説明】
【技術分野】
【０００１】
本発明は、スイッチボックスの取付金具およびスイッチボックスの取付板に関し、たとえば遠隔操作用のスイッチを備えているスイッチボックスの取付けに好適な取付金具および取付板に関するものである。
【背景技術】
【０００２】
従来、たとえば工場の製造ライン（コンベアライン）においては、専従作業者（以下、「作業者」という）の操作に基づいて製造ラインの運転を停止させるための停止用ボタンと、製造ライン管理者の操作に基づいて製造ラインを再起動させるための停止解除用ボタンとを備えたスイッチボックスが、製造ライン近傍の作業台に設けられている。この場合、製造する製品が異なるＡ工場とＢ工場に設けられるスイッチボックスは、各工場での製造ラインの規模や構成が相違していることから、一般に異なった構造のものとなる。たとえば、Ａ工場の製造ラインでは図７（ａ），（ｂ）に示すスイッチボックス（第１従来例のスイッチボックス）が用いられ、Ｂ工場の製造ラインでは図８（ａ），（ｂ），（ｃ），（ｄ）に示すスイッチボックス（第２従来例のスイッチボックス）が用いられる。
【０００３】
図７（ａ），（ｂ）に示す第１従来例のスイッチボックスは、製造ラインの運転を停止させるための１つの停止用ボタン５１と、製造ラインを再起動させるための１つの停止解除用ボタン５２がスイッチボックス５３の正面に突設され、このスイッチボックス５３は、Ｌ字形の取付金具５４および被取付け部５５を介して、製造ライン近傍の作業台（図示省略）の下側へ潜り込ませ、かつ停止用ボタン５１と停止解除用ボタン５２とを作業者に対向させた状態で前記作業台に取付けられる。なお、図７（ｂ），（ｃ）において、５６は、電源供給および出力信号送信用コードを示す。
【０００４】
前記第１従来例のスイッチボックス５３によれば、作業者に、たとえば作業遅延や欠品などの製造ラインを停止させたい理由が生じると、作業者は停止用ボタン５１を投入する。停止用ボタン５１の出力は管理室に送られ、警報（ランプの点灯やブザーの鳴動など）を発する。製造ラインの管理者は、発せられた警報に基づいて、作業者を特定して近付き、製造ラインの停止理由を確認し、理由の如何によっては最善の処置を施したのちに停止解除用ボタン５２を投入して製造ラインを再起動させる。
【０００５】
一方、図８（ａ）〜（ｄ）に示す第２従来例のスイッチボックスは、製造ラインの運転を停止させるための１つの停止用ボタン６１と、たとえば作業遅延、不良、欠品などの製造ラインを停止させたい作業者の停止理由を各別に特定して、当該製造ラインを再起動させるための複数の停止解除用ボタン６２ａ、６２ｂ、６２ｃ、６２ｄ、６２ｅがスイッチボックス６３の上面に突設され、このスイッチボックス６３は、上端部に下向きのフック部６４ａを設けた一対の帯状金属板からなるフック形の取付金具６４および被取付け部６５を介して、製造ライン近傍の作業台（図示省略）の上端部に位置決めし、かつ停止用ボタン６１と停止解除用ボタン６２ａ〜６２ｅとを上向きにした状態で前記作業台に垂直に取付けられる。なお、図８（ｂ），（ｃ）において、６６は、電源供給および出力信号送信用コードを示す。
【０００６】
前記第２従来例のスイッチボックス６３によれば、作業者に、たとえば作業遅延、不良、欠品などの製造ラインを停止させたい理由が生じると、作業者は停止用ボタン６１を投入する。停止用ボタン６１の出力は管理室に送られ、警報（ランプの点灯やブザーの鳴動など）を発する。製造ラインの管理者は、発せられた警報に基づいて、作業者を特定して近付き、製造ラインの停止理由を確認し、理由の如何によっては最善の処置を施したのちに、確認した製造ラインの停止理由に対応するいずれかの停止解除用ボタン６２ａ〜６２ｅを投入して製造ラインを再起動させる。
【０００７】
一方、パネルに押しボタンケースを簡単に精度良く位置決めでき、押しボタンケースに対してスイッチ素子を簡単に精度良く位置決めできるように構成したスイッチが以下の特許文献１において提案されている。また、複数の分離型スイッチを並列して装着する際のスイッチケースおよび操作ケース個々の取付け向き（角度）や取付けピッチに組付け誤差が発生して、複数のスイッチケースおよび操作ケースを同時に嵌合連結することが困難になる不具合を軽減あるいは解消するボタンの取付け構造が以下の特許文献２において提案されている。さらに、本体と、板ばね式可動接点と、板ばねとを一体にしてスライダを構成することで、スライダと板ばね式可動接点と、圧縮コイルスプリングと、ボールとがそれぞれ別個であるものと比較して、部品点数や組み付け工程数の軽減化を図れるようにしたスイッチ装置が以下の特許文献３において提案されている。
【特許文献１】特開２０００−３３１５６０号公報
【特許文献２】特開平１１−２８８６３４号公報
【特許文献３】特開平１０−６９８３９号公報
【発明の開示】
【発明が解決しようとする課題】
【０００８】
前述したように、Ａ工場とＢ工場とではラインの規模や構造が互いに異なっているために、図７で説明した第１従来例のスイッチボックス５３と、図８で説明した第２従来例のスイッチボックス６３とでは、使用時の利便性を考慮して構造が互いに異なっている。また、Ａ，Ｂ両工場の製造ラインに対応して、停止用ボタン５１、６１と停止解除用ボタン５２、６２ａ〜６２ｅとを投入容易な方向に向けて、使用時の利便性向上の機能を担わせた取付金具５４、６４の構造も互いに異なっている。このため、構造が互いに異なる二種類のスイッチボックス５３、６３および二種類の取付金具５４、６４を用意する必要があり、スイッチボックス５３、６３と取付金具５４、６４の製造に無駄が生じてコスト高を招くとともに、これらの在庫管理が煩雑であるという問題を有している。
【０００９】
一方、第２従来例のスイッチボックス６３が使用されている製造ラインでは、ラインの管理者が作業者による製造ラインの停止理由を各別にデータ収集して分析することができるので、その分析結果に基づいて製造ラインの稼働率を向上させ、かつ生産性の向上に寄与する対策を講じることができる。しかし、第１従来例のスイッチボックス５３が使用されている製造ラインでは、ラインの管理者が作業者による製造ラインの停止理由を各別にデータ収集して分析することができないため、分析結果に基づいて製造ラインの稼働率を向上させ、かつ生産性の向上に寄与する対策を講じることが不可能である。つまり、製造ラインの稼働率および生産性の向上に寄与できるか否かのデータ収集機能がスイッチボックスと取付金具の種類によって異なり、前記Ａ，Ｂ両工場間においてデータ収集機能に格差が生じるという問題を有している。以上のような諸問題に対する解決策に関しては、前記特許文献１〜３に記載がない。
【００１０】
本発明は、このような問題を解決するものであって、その目的とするところは、製造ラインの停止理由を各別にデータ収集して分析することができるスイッチボックスの取付けが可能であるとともに、被取付部の構造の如何を問わず、共通化したスイッチボックスを使用時の利便性を考慮した状態で取付けることができるスイッチボックスの取付金具およびスイッチボックスの取付板を提供することにある。
【課題を解決するための手段】
【００１１】
本発明のスイッチボックスの取付板は、スイッチボックスを上向きにして、当該スイッチボックスを被取付部に取付ける第１の取付部と、前記スイッチボックスを斜め上向きにして、当該スイッチボックスを被取付部に取付ける第２の取付部とを、上下方向の一方側と他方側に振り分けて設けたものである。
【００１２】
このようにすることで、製造ラインの停止理由を各別にデータ収集して分析することができるばかりか、第１の取付部と第２の取付部とを選択して、取付板を上下に反転させて被取付部に取付けても、停止用ボタンと停止解除用ボタンを上向きまたは斜め上向きにした状態で、取付板にスイッチボックスを取り付けることができるので、被取付部の構造の如何を問わず、共通化した取付板によって、共通化したスイッチボックスを停止用ボタンと停止解除用ボタンとを投入容易な方向に向けて、使用時の利便性を考慮した姿勢で被取付部に取付けることができる。
【００１３】
また、本発明のスイッチボックスの取付金具は、製造ラインの運転を停止させるための停止用ボタンと、製造ラインの停止理由を各別に特定して当該製造ラインを再起動させるための複数の停止解除用ボタンとを備えたスイッチボックスの正面を作業者に対向させて、当該製造ライン上端部の被取付部に垂直姿勢で取付ける第１の取付部と、前記スイッチボックスの正面を製造ラインの斜め下側に向けて、かつ作業者から離れる方向に傾斜させて当該製造ライン上端部の被取付部に傾斜姿勢で取付ける第２の取付部とを、上下方向の一方側と他方側に振り分けて設けたものである。
【００１４】
このようにすることで、製造ラインの停止理由を各別にデータ収集して分析することができるばかりか、第１の取付部と第２の取付部とを選択して、取付金具を上下に反転させて製造ライン上端部の被取付部に取付けても、停止用ボタンと停止解除用ボタンとを上向きまたは斜め上向きにした状態で、取付金具にスイッチボックスを取付けることができるので、製造ラインの構造の如何を問わず、共通化した取付金具によって、共通化したスイッチボックスを停止用ボタンと停止解除用ボタンとを投入容易な方向に向けて、使用時の利便性を考慮した垂直姿勢または傾斜姿勢で製造ライン上端部の被取付部に取付けることができる。
【００１５】
本発明においては、取付板に、スイッチボックスの外部に露出している電源供給および出力信号送信用コードを保持して、当該コードの自然垂下を防止するコード保持部を設けることが好ましい。これによると、電源供給および出力信号送信用コードが作業者の足下に絡み付いて、作業の邪魔となるのを避けることができる。
【発明の効果】
【００１６】
本発明によれば、被取付部の構造の如何を問わず、共通化した取付金具または取付板によって、共通化したスイッチボックスを被取付部に取付けることができるので、製造上の無駄を省いて、コストの削減に寄与することができるとともに、在庫管理を簡素化することができる。
【発明を実施するための最良の形態】
【００１７】
図１（ａ），（ｂ）は、本発明の取付金具の実施形態を示す構造図、図２（ａ），（ｂ），（ｃ），（ｄ），（ｅ）は、図１の取付金具に取付けられるスイッチボックスの実施形態を示す構造図である。
【００１８】
図１の取付金具１には、第１の取付部１０と第２の取付部１１とが、上下方向の両側に振り分けて設けられている。第１の取付部１０は、取付金具１におけるスイッチボックス取付面１２の上端より少し上方に突出して裏側に少しのびるとともに、下向きに折り曲げた左右一対の下向きフック状の係止片によって構成され、第２の取付部１１は、スイッチボックス取付面１２よりも若干狭い幅寸法を有して、該スイッチボックス取付面１２の下方に向けて斜め後方にのびる傾斜延出部１１Ａと、この傾斜延出部１１Ａの下端から表側に向けて直角に折り曲げて連設した取付片１１Ｂによって構成され、傾斜延出部１１Ａにはコード保持部としての機能を担う透孔１１Ｃが設けられ、取付片１１Ｂには、取付用ビスなどの取付手段を挿通させる左右一対の挿通孔１１ｂが設けられている。また、スイッチボックス取付面１２には、取付用ビスなどの取付手段を挿通させる３つの挿通孔１２ａが設けられている。
【００１９】
図２に示すスイッチボックス２は、裏蓋２Ａを備えている角形箱状のもので、表側の正面２Ｂと、この正面２Ｂの上下方向の両端部から裏側に向けて直角に折り曲げて連設されて、上下方向で互いに対向する上面２Ｃと下面２Ｄおよび正面２Ｂの幅方向の両端部から裏側に向けて直角に折り曲げて連設されて、幅方向で互いに対向する一方の側面２Ｅと他方の側面２Ｆとを備え、上面２Ｃ、下面２Ｄ、一方の側面２Ｅおよび他方の側面２Ｆは、スイッチボックス２の周方向で互いに連なって周壁を構成している。また、裏蓋２Ａには、図１に示す取付金具１におけるスイッチボックス取付面１２に設けた３つの挿通孔１２ａに対応する３つの挿通孔（図示省略）が設けられている。さらに、スイッチボックス２の内部には、複数の電子部品を搭載したプリント回路基板（図示省略）が収納されている。
【００２０】
また、スイッチボックス２の上面２Ｃには、工場の製造ラインの運転を停止させるための一つの停止用ボタン３と、たとえば「作業遅延」、「不良」、「欠品」などの製造ラインを停止させたい理由を各別に特定して当該製造ラインを再起動させるための複数の停止解除用ボタン４Ａ，４Ｂ，４Ｃ，４Ｄ，４Ｅが適当な間隔を隔てて突設されている。これら停止用ボタン３および複数の停止解除用ボタン４Ａ〜４Ｅと前述のプリント回路基板とは、互いに電気的に接続されている。また、スイッチボックス２の下面２Ｄには、複数の空気抜き孔５ａと、一つのコード挿通孔５Ａが設けられている。
【００２１】
つぎに、前記構成の取付金具１にスイッチボックス２を取付ける第１実施形態の手順について説明する。図３に示すように、スイッチボックス２の裏蓋２Ａを取付金具１のスイッチボックス取付面１２に当接させた状態で、該スイッチボックス取付面１２に設けた３つの挿通孔１２ａに、裏蓋２Ａに設けられている３つの挿通孔（図示省略）を対向連通させて位置決めし、３つの挿通孔１２ａ側から裏蓋２Ａの挿通孔に対してビス６をねじ込んで締結することで、取付金具１にスイッチボックス２が取付けられる。
【００２２】
図３に示す第１実施形態の取付構造によれば、製造ライン（図示省略）の構成に応じて、図４（ａ），（ｂ），（ｃ），（ｄ）に示すように、第１の取付部１０を製造ライン上端部の被取付部７に引っ掛けることで、スイッチボックス２の正面２Ｂを作業者（図示省略）に対向させ、かつ停止用ボタン３と停止解除用ボタン４Ａ〜４Ｅとを投入容易な上向きにして、使用時の利便性を考慮した垂直姿勢でスイッチボックス２を取付けることができる。このときに、スイッチボックス２の下面２Ｄに設けたコード挿通孔５Ａ（図２（ｅ）参照）から引き出されている電源供給および出力信号送信用コード８を取付金具１の傾斜延出部１１Ａに設けた透孔１１Ｃに挿通して、後側に迂回させて保持することで、コード８の自然垂下を防止して、コード８が作業者の足下に絡み付いて、作業の邪魔となるのを避けることができる。
【００２３】
このような取付状態において、作業者に、たとえば「作業遅延」、「不良」、「欠品」などの製造ラインを停止させたい理由が生じると、作業者は停止用ボタン３を投入する。停止用ボタン３の出力は管理室に送られ、警報（ランプの点灯やブザーの鳴動など）を発する。製造ラインの管理者は、発せられた警報に基づいて、作業者を特定して近付き、製造ラインの停止理由を確認し、理由の如何によっては最善の処置を施したのちに、停止理由に対応するいずれかの停止解除用ボタン４Ａ〜４Ｅを投入して製造ラインを再起動させる。この停止解除用ボタン４Ａ〜４Ｅの出力は、管理室のホストコンピュータへ送られる。これにより、製造ラインの管理者は製造ラインの停止理由を各別にデータ収集して分析することができる。
【００２４】
一方、図５に示すように、取付金具１の上下を反転させた状態で、前記第１実施形態と同様の手法で取付金具１にスイッチボックス２を取付けることで、第２実施形態の取付構造を得ることができる。そして、製造ライン（図示省略）の構成に応じて、図６（ａ），（ｂ）に示すように、第２の取付部１１における取付片１１Ｂに設けた挿通孔１１ｂに挿通したボルト９によって製造ライン上端部の被取付部１３に締結することで、スイッチボックス２の正面２Ｂを製造ラインの斜め下側に向けて、かつ作業者から離れる方向に傾斜させ、しかも停止用ボタン３と停止解除用ボタン４Ａ〜４Ｅとを投入容易な斜め上向きにして、使用時の利便性を考慮した傾斜姿勢でスイッチボックス２を取付けることができる。このときに、スイッチボックス２の下面２Ｄに設けたコード挿通孔５Ａから引き出されている電源供給および出力信号送信用コード８を取付金具１の第１の取付部１０に引っ掛けて、側方に迂回させて保持することで、コード８の自然垂下を防止して、コード８が作業者の足下に絡み付いて、作業の邪魔となるのを避けることができる。
【００２５】
このような取付状態においても、作業者に、たとえば「作業遅延」、「不良」、「欠品」などの製造ラインを停止させたい理由が生じると、作業者は停止用ボタン３を投入する。停止用ボタン３の出力は管理室に送られ、警報（ランプの点灯やブザーの鳴動など）を発する。製造ラインの管理者は、発せられた警報に基づいて、作業者を特定して近付き、製造ラインの停止理由を確認し、理由の如何によっては最善の処置を施したのちに、停止理由に対応するいずれかの停止解除用ボタン４Ａ〜４Ｅを投入して製造ラインを再起動させる。この停止解除用ボタン４Ａ〜４Ｅの出力は、管理室のホストコンピュータへ送られる。これにより、製造ラインの管理者は製造ラインの停止理由を各別にデータ収集して分析することができる。
【００２６】
すなわち、本発明に係る取付金具１によれば、製造ラインの管理者が製造ラインの停止理由を各別にデータ収集して分析することができるばかりか、第１の取付部１０と第２の取付部１２とを選択して、取付金具１を上下に反転させて製造ライン上端部の被取付部７または１３に取付けても、停止用ボタン３と停止解除用ボタン４Ａ〜４Ｅを上向きまたは斜め上向きにした状態で、取付金具１にスイッチボックス２を取付けることができる。したがって、製造ラインの構成の如何を問わず、共通化した取付金具１によって、共通化したスイッチボックス２を、停止用ボタン３と停止解除用ボタン４Ａ〜４Ｅとを投入容易な方向に向けて、使用時の利便性を考慮した状態で取付けることができる。
【００２７】
前記実施形態では、本発明に係る取付金具１にスイッチボックス２を取付けて、工場の製造ラインに適用した例で説明しているが、本発明に係る取付金具１に家庭用のスイッチボックスまたは業務用のスイッチボックスを取付けて、家庭用あるいは業務用に適用することもできる。
【００２８】
また、前記実施形態の取付金具１は金属板によって構成され、この金属製の取付金具１にスイッチボックス２を取付けているが、たとえば、合成樹脂材料によって前記実施形態の取付金具１と同じ構造の取付板を構成し、この合成樹脂性の取付板にスイッチボックス２を取付けてもよい。
【図面の簡単な説明】
【００２９】
【図１】取付金具の実施形態を示す構造図である。
【図２】スイッチボックスの実施形態を示す構造図である。
【図３】取付金具にスイッチボックスを取付けた第１実施形態を示す背面図である。
【図４】第１実施形態のスイッチボックスを被取付部に取付けた状態を示す構造図である。
【図５】取付金具にスイッチボックスを取付けた第２実施形態を示す背面図である。
【図６】第２実施形態のスイッチボックスを被取付部に取付けた状態を示す構造図である。
【図７】第１従来例のスイッチボックスを被取付部に取付けた状態を示す構造図である。
【図８】第２従来例のスイッチボックスを被取付部に取付けた状態を示す構造図である。
【符号の説明】
【００３０】
１  取付金具（取付板）
２  スイッチボックス
３  停止用ボタン
４Ａ〜４Ｅ  停止解除用ボタン
７  被取付部
８  電源供給および出力信号送信用コード
１０  第１の取付部（コードの保持部）
１１  第２の取付部
１１Ｃ  透孔（コードの保持部）
１３  被取付部
【図１】
2006031985.tif 000003
【図２】
2006031985.tif 000004
【図３】
2006031985.tif 000005
【図４】
2006031985.tif 000006
【図５】
2006031985.tif 000007
【図６】
2006031985.tif 000008
【図７】
2006031985.tif 000009
【図８】
2006031985.tif 000010